(57)【要約】【課題】、使用時の利便性を向上させた保持部材を提供する。【解決手段】  帯状物を巻き回したロール体３０を保持する保持部材であって、ロール体３０を回転可能に保持する保持部１９と、斜め上方へ向けて凸の曲面を有し、その曲面で帯状物の先端側の表面を支持する支持部１３と、曲面を有し、その曲面で帯状物の先端側の裏面に当接する当接部２５と、を備える。支持部１３は、ロール体３０に対向する側の曲面である内側支持部と、ロール体３０の側とは反対の側へ湾曲する曲面である外側支持部と、を有し、内側支持部及び外側支持部の曲率は、頂点へ向けて漸増する。【選択図】図４
2020185087.tif 000002
【特許請求の範囲】
【請求項１】
帯状物を巻き回したロール体を保持する保持部材であって、
前記ロール体を回転可能に保持する保持部と、
斜め上方へ向けて凸の曲面を有し、その曲面で前記帯状物の先端側の表面を支持する支持部と、
曲面を有し、その曲面で前記帯状物の先端側の裏面に当接する当接部と、を備える、保持部材。
【請求項２】
前記支持部は、
前記ロール体に対向する側の曲面である内側支持部と、
その内側支持部と頂点で連続する曲面を構成し、前記ロール体の側とは反対の側へ湾曲する曲面である外側支持部と、を有し、
前記内側支持部及び前記外側支持部の曲率は、前記頂点へ向けて漸増する、請求項１に記載の保持部材。
【請求項３】
前記支持部及び前記当接部は、前記保持部よりも上方に設けられている、請求項１又は２に記載の保持部材。
【請求項４】
前記支持部及び前記当接部の少なくとも一方は、弾性変形可能である、請求項１〜３のいずれか１項に記載の保持部材。
【請求項５】
前記支持部は弾性変形可能であり、
前記支持部が弾性変形した場合に露出する刃を備える、請求項１〜４のいずれか１項に記載の保持部材。
【請求項６】
前記支持部は、表面に、前記ロール体との摩擦係数が前記当接部と前記ロール体との摩擦係数よりも大きい滑り止め部を備える、請求項１〜５のいずれか１項に記載の保持部材。
【請求項７】
前記当接部の前記曲面は、斜め上方へ向けて凹の曲面である、請求項１〜６のいずれか１項に記載の保持部材。
【請求項８】
前記当接部の前記曲面は、斜め下方へ向けて凸の曲面である、請求項１〜６のいずれか１項に記載の保持部材。
【発明の詳細な説明】
【技術分野】
【０００１】
本発明は、トイレットペーパー等のロール体を保持する保持部材に関するものである。
【背景技術】
【０００２】
従来トイレットペーパー等のロール紙を右側面視にて時計回りに回転するように保持し、ロール紙の先端を下方から上方へと引き出し可能とした保持部材が一部利用されている。このような保持部材として、特許文献１に記載の保持部材がある。
【先行技術文献】
【特許文献】
【０００３】
【特許文献１】特開２００４−１８２２８７号公報
【発明の概要】
【発明が解決しようとする課題】
【０００４】
特許文献１に記載の保持部材では、ロール紙を右側面視にて時計回りに回転するように保持可能であるものの、ロール紙の先端を引き出したり、ロール紙を剪断したりする場合に利便性については、改善の余地がある。
【０００５】
本発明は、上記課題を解決するためになされたものであり、その主たる目的は、使用時の利便性を向上させた保持部材を提供することにある。
【０００６】
第１の構成は、帯状物を巻き回したロール体を保持する保持部材であって、ロール体を回転可能に保持する保持部と、斜め上方へ向けて凸の曲面を有し、その曲面で帯状物の先端側の表面を支持する支持部と、曲面を有し、その曲面で帯状物の先端側の裏面に当接する当接部と、を備える。
【０００７】
第１の構成では、帯状物の先端側が支持部と当接部とにより挟持されるため、帯状物の先端を、一定の長さに亘って上方へ向けて起立するように保持することができる。したがって、その先端を摘まむことが容易となり、より使用しやすい保持部材を提供することができる。また、帯状物を引き出して切り取るうえで人が触れる部分は帯状物の先端だけであり、支持部や当接部に触れる必要が無いため、特にロール体がトイレットペーパーである場合に、衛生的に使用することができる。
【０００８】
第２の構成では、支持部は、ロール体に対向する側の曲面である内側支持部と、その内側支持部と頂点で連続する曲面を構成し、ロール体の側とは反対の側へ湾曲する曲面である外側支持部と、を有し、内側支持部及び外側支持部の曲率は、頂点へ向けて漸増する。
【０００９】
第２の構成では、支持部の曲率が頂点へ向けて漸増しているため、帯状物を頂点近傍で支持した場合に、帯状物との接触面積が低減する。これにより、帯状物は支持部の曲面に沿いつつ、自身の構造による強度により上方へ向けて起立することになり、取り出し時の利便性をより向上させることができる。
【００１０】
第３の構成では、支持部及び当接部は、保持部よりも上方に設けられている。
【００１１】
第３の構成では、ロール体の先端が保持部よりも上方で挟持されることとなるため、ロール体の先端がより上方へ向けて起立することとなり、ロール体を引き出す際の利便性を向上させることができる。
【００１２】
第４の構成では、支持部及び当接部の少なくとも一方は、弾性変形可能である。
【００１３】
支持部が弾性変形可能であれば、帯状物の先端側を挟持した場合に、当接部の重さにより支持部が弾性変形し、帯状物に対する挟持力が大きくなる。一方、当接部が弾性変形かのうであれば、自重により弾性変形するため、帯状物に対する挟持力が大きくなる。したがって、挟持した帯状物が保持部側へ引き込まれたり、落下したりする事態を抑制することができる。
【００１４】
第５の構成では、支持部は弾性変形可能であり、支持部が弾性変形した場合に露出する刃を備える。
【００１５】
第５の構成では、帯状物を切り取る際に支持部に押圧力がかかった場合に刃が露出するため、安全性を向上させることができる。
【００１６】
第６の構成では、支持部は、表面に、ロール体との摩擦係数が当接部とロール体との摩擦係数よりも大きい滑り止め部を備える。
【００１７】
第６の構成では、ロール体を引き出す際にはロール体と支持部の接触面積が小さくなるようにロール体の先端を持ち上げ、必要な分だけ引き出した後にロール体と支持部を接触させて切り取ることができる。したがって、必要な量のロール体を容易に引き出し可能としつつ、切り取る際にロール体が必要以上に引き出されることを抑制することができる。
【００１８】
第７の構成では、当接部の曲面は、斜め上方へ向けて凹の曲面である。
【００１９】
この第７の構成では、帯状物の先端を凹曲面に沿って起立させることができる。
【００２０】
第８の構成では、当接部の曲面は、斜め下方へ向けて凸の曲面である。
【００２１】
この第８の構成では、凸の曲面どうしの接触箇所により帯状物の先端を挟むため、その挟まれた個所から上方へ向けて帯状物の先端を起立させることができる。
【図面の簡単な説明】
【００２２】
【図１】第１実施形態に保持部材の右側面図である。
【図２】第１実施形態に保持部材の平面図である。
【図３】図１の拡大図である。
【図４】蓋部及びトイレットペーパーを取り付けた状態を示す右側面図である。
【図５】蓋部及びトイレットペーパーを取り付けた状態を示す平面図である。
【図６】図４の拡大図である。
【図７】トイレットペーパーを引き出した状態を説明する図である。
【図８】トイレットペーパーを切断する状態を説明する図である。
【図９】第２実施形態の保持部材の拡大図である。
【図１０】第２実施形態において、トイレットペーパーを切断する状態を説明する図である。
【図１１】第３実施形態の保持部材の拡大図である。
【図１２】第３実施形態において、トイレットペーパーを切断する状態を説明する図である。
【図１３】第４実施形態に保持部材の右側面図である。
【図１４】第４実施形態において、蓋部及びトイレットペーパーを取り付けた状態を示す右側面図である。
【発明を実施するための形態】
【００２３】
以下、各実施形態を図面に基づいて説明する。なお、以下の各実施形態相互において、互いに同一もしくは均等である部分には、図中、同一符号を付しており、同一符号の部分についてはその説明を援用する。
【００２４】
＜第１実施形態＞
本実施形態に係る保持部材は、壁等に取り付けられて用いられ、トイレットペーパー等のロール体を保持するものである。以下の説明において、保持部材の壁等に取り付けられる側を背面側と称し、その反対側を正面側と称する。また、壁等に取り付けられた場合の床面側若しくは地面側を下側と称し、その反対側を上側と称する。本実施形態に係る保持部材の構造について、図１〜４を参照して説明する。なお、本実施形態に係る保持部材は、以下の説明において特に断りのない部分については同一の素材で形成されており、その素材としては、例えば、ステンレスやアルミニウムなどの金属、若しくは、ポリエチレンなどのプラスチックが採用される。
【００２５】
保持部材１０は、壁等へ取り付け可能なように背面側が垂直な平面である取付部１１を備えている。取付部１１の平面状である背面が、ねじ止めや接着などの周知の手段で壁等に取り付けられるが、具体的な説明は省略する。この取付部１１の正面側は、上下方向の略中央から背面側へ向けて窪んだ形状であり、その正面側の曲率は、一定である。また、左右方向における断面はいずれの位置においても均等な形状である。この取付部１１の正面には、取付部１１の正面と同じ一定の曲率で湾曲する壁部１２が、一体に設けられている。この壁部１２は、厚み及び左右方向の幅が略均一であり、右側面から見れば、中心角が概ね２７０°の円弧状である。この円弧の一端は取付部１１の上側の端部まで延伸しており、この円弧の他端は、取付部１１の上側の端部と略等しい高さまで延伸している。すなわち、壁部１２の両端の上下方向の位置は、略等しい位置にある。
【００２６】
壁部１２の、周方向における他方の端部、すなわち、取付部１１から離間した側の端部には、左右方向の幅が壁部１２よりも小さい、より具体的には、左右方向の幅が概ね壁部１２の厚みの分だけ小さい、支持部１３が設けられている。この支持部１３について、図３の拡大図を参照して説明する。支持部１３は、側面視にて、背面側斜め上方へ隆起した凸形状であり、左右方向については均等な形状である。支持部１３の背面側の面を構成する内側支持部１３ａは、壁部１２とは反対側へ向けて曲率が漸増するように湾曲しており、且つ、壁部１２の内周面と連続する曲面を形成している。この内側支持部１３ａは、最も斜め上側の箇所である頂点１３ｂまで曲率が漸増していく。
【００２７】
支持部１３の頂点１３ｂから正面側に向けては、頂点１３ｂを境として内側支持部１３ａと連続する曲面を構成する外側支持部１３ｃが設けられている。この外側支持部１３ｃは、頂点１３ｂ近傍における曲率が内側支持部１３ａの曲率よりも大きく、且つ、正面側へ向かうにつれて、曲率は漸減していく。外側支持部１３ｃの最も正面側の位置からは、背面側斜め下方へ向けて傾斜した平面である下方支持部１３ｄが設けられている。この下方支持部１３ｄは、垂直方向に対して概ね４５°の角度で傾斜している。
【００２８】
外側支持部１３ｃと下方支持部１３ｄの接続点には、下方支持部１３ｄ側とは正反対の側へと突出した、側面視にて先端が鋭利である楔型の歯部１４が設けられている。この歯部１４についても、左右方向については均一な形状である。また、内側支持部１３ａ、頂点１３ｂ、及び外側支持部１３ｃの幅方向の全域を覆うように、薄膜状の滑り止め部１５が設けられている。この滑り止め部１５は、他の各部を構成する部材とは異なる素材で形成されており、トイレットペーパー３０との動摩擦係数及び静止摩擦係数は、それら各部を構成する部材よりも大きくなっている。
【００２９】
一方、壁部１２の取付部１１側の端部には、左右方向の幅が壁部１２よりも小さい、より具体的には、左右方向の幅が壁部１２の厚みの分だけ小さい、上壁部１６が接続されている。この上壁部１６の厚みは、壁部１２との接続点では壁部１２と等しく、壁部１２との接続点から離れるにつれて、漸増していく。この上壁部１６の内側の面の曲率及び湾曲方向は、壁部１２と等しく、上壁部１６の外側の面の曲率は、壁部１２と等しい曲率から漸減していく。上壁部１６は以上の以上のように構成されているため、右側面視にて弧状である。また、上壁部１６の長さは、右側面視にて中心角が約３０°となる長さである。
【００３０】
この上壁部１６の壁部１２側とは反対の側の端部には、上壁部１６の周方向へ向けて円弧状に窪んだ窪部１７が設けられている。この窪部１７の円弧の直径は、上壁部１６の端部の厚みよりも大きい。すなわち、窪部１７を構成する円弧の中心角は１８０°未満である。また、窪部１７は、上壁部１６の厚み方向の中央近傍が最も深く窪んでおり、かつ、窪部１７の形状は、左右方向のいずれの位置でも均一である。
【００３１】
壁部１２の、左側の端部には、厚みが一定であり左右方向に対して垂直な板状の閉塞部１８が設けられている。この閉塞部１８の外形は、上壁部１６、壁部１２、支持部１３の下方支持部１３ｄ、歯部１４の外形、及び、上壁部１６の先端と歯部１４の先端とを結ぶ円弧で、外形が構成されている。この閉塞部１８の右側の略中心には、閉塞部１８から右側へと垂直に突出する円柱状の芯保持部１９が設けられている。この芯保持部１９の直径は、一般的なトイレットペーパーの芯の内径よりも小さい。また、芯保持部１９の左右方向の長さは、壁部１９の幅と略等しい。この芯保持部１９の側面には、左側の端が芯保持部１９の側面に対して垂直な平面をなし、右側へ向けて徐々に高さが低くなる楔型の返し２０が設けられている。この返し２０の左側の端部から閉塞部１８の右面までの間隔は、一般的なトイレットペーパーの幅よりも若干、例えば数ｍｍ〜１ｃｍ程度大きい。
【００３２】
閉塞部１８の窪部１７の近傍の位置、具体的には、窪部１７を構成する円弧の中心の位置には、右側へ向けて垂直に突出した円柱状の、左側取付ピン２１が設けられている。
【００３３】
この左側取付ピン２１には、蓋部２２が取り付けられる。蓋部２２は、壁部１２及び上壁部１６と同一方向へ湾曲した板状であり、曲率は上壁部１６の先端近傍の外側と略等しく、厚みは上壁部１６の先端よりも厚い。この蓋部２２において、周方向の一方の端部には、蓋部２２の外周面及び内周面と連続する曲面をなす、半円弧状の回動部２３が形成されている。この回動部２３の直径は、蓋部２２の厚み、及び、窪部１７を構成する円弧と直径と、略等しい。この回動部２３の左右方向の端部のそれぞれにおける円弧の中心には、断面円形の取付穴２４が設けられている。この取付穴２４の径は、左側取付ピン２１の外径と略等しい。
【００３４】
蓋部２２の他方の端部には、左右方向に向けて延びる円柱形の当接部２５が、一体に設けられている。この当接部２５の直径は、蓋部２２の厚みの２倍程度であり、蓋部２２の他方の端部２２の先端が当接部２５の側面に接するようにして設けられている。また、蓋部２２の外周面から当接部２５にかけては連続する曲面を構成しており、蓋部２２の内周面に対しては、当接部２５の側面が略垂直に接続されている。当接部２５がこのように形成されているため、蓋部２２が左側取付ピン２１に取り付けられた場合に、斜め下方に凸形状の曲面を構成しているといえる。
【００３５】
以上のように構成される蓋部２２の取付穴２４は、閉塞部１８に設けられた左側取付ピン２１が挿入されることで、取り付けられる。
【００３６】
図４に示すように蓋部２２が取り付けられた後に、支持部１４の右側の端部、及び、上壁部１６の右側の端部には、カバー部２６が取り付けられる。このカバー部２６は、厚みが閉塞部１８の厚みと略等しい板状である。このカバー部２６は、上壁部１６の右側面、蓋部２２の右側面、及び支持部１３の右側面を覆うことが可能な程度の幅を有しており、右側面視にて、背面側から正面側に向けて幅が徐々に大きくなる弧状である。また、このカバー部２６が上壁部１６等に取り付けられた場合に、左側取付ピン２１と対向する位置に、図示しない右側取付ピンが設けられている。このように壁部１２、閉塞部１８、及びカバー部２６が設けられているため、蓋部２２は、図５に示すように、周方向において壁部１２の窪部１７及び支持部１３で囲まれ、左右方向において、閉塞部１８及びカバー部２６により囲まれることとなる。なお、各右側面図においてカバー部２６を図示すれば、蓋部２２や支持部１３が遮蔽されることとなるため、カバー部２６の図示は省略している。
【００３７】
この保持部材に保持されるトイレットペーパー３０は、図４に示すように、芯保持部１９が芯に挿入され、芯の右端が返し２０に当接することで、保持される。このとき、トイレットペーパー３０の先端３１は、図６に示すように、表面が支持部１３により下側から支持され、裏面が当接部２５により上側から支持されることで、上方向に起立した状態が維持されている。
【００３８】
トイレットペーパー３０の先端３１を人が摘まんで引き出す場合、図７に示すように、蓋部２２は回動部２３を中心として回動し、上方向へと持ち上がる。このとき、トイレットペーパー３０の先端３１と滑り止め部１５とが離間して摩擦力が低減して引き出しやすくなる。トイレットペーパー３０を必要な分だけ引き出した後、図８に示すようにトイレットペーパー３０の先端３１を下方へと引き下げれば、トイレットペーパー３０の先端３１が再び支持部１３と当接部２５とにより挟持されることになる。この状態では、トイレットペーパー３０は支持部１４に設けられた滑り止め部１５に当接するため、トイレットペーパー３０をさらに下方へと引き下げようとしても、それ以上トイレットペーパー３０が引き出されることが抑制される。そして、支持部１４と当接部２５とに挟持された位置よりも先端３０側において、図８に示すように、トイレットペーパー３０は歯部１６に接触し、剪断される。このとき、支持部と当接部とにより挟持された箇所から、剪断された箇所まで所定の長さがあるため、図６に戻り、その先端３１が支持部１３の傾斜に沿って、上方向へと起立した状態となる。
【００３９】
上記構成により、本実施形態に係る保持部材は、以下の効果を奏する。
【００４０】
・トイレットペーパー３０の先端３１側が支持部１３と当接部２５とにより挟持されるため、その先端３１を、一定の長さに亘って上方へ向けて起立するように保持することができる。したがって、その先端３１を摘まむことが容易となり、より使用しやすい保持部材を提供することができる。
【００４１】
・トイレットペーパー３０を引き出す際にはトイレットペーパー３０の先端３１を持ち上げるため、滑り止め部１５が設けられた支持部１３との接触面積が小さくなり、必要な分だけ引き出した後にトイレットペーパー３０と支持部１３の滑り止め部１５とを接触させて切り取ることができる。したがって、必要な量のトイレットペーパー３０を容易に引き出し可能としつつ、切り取る際にトイレットペーパー３０が必要以上に引き出されることを抑制することができる。
【００４２】
・支持部１３の曲率が頂点へ向けて漸増しているため、トイレットペーパー３０を頂点近傍で支持した場合に、トイレットペーパー３０との接触面積が低減する。これにより、トイレットペーパー３０は支持部１３の曲面に沿いつつ、自身の構造による強度により上方へ向けて起立することになり、取り出し時の利便性をより向上させることができる。
【００４３】
・トイレットペーパー３０の先端３１が芯保持部１９よりも上方で挟持されるため、トイレットペーパー３０の先端３１がより上方へ向けて起立することとなり、トイレットペーパー３０を引き出す際の利便性を向上させることができる。
【００４４】
＜第２実施形態＞
本実施形態では、図９に示すように、支持部４３近傍の構造が第１実施形態と異なっている。なお、図９の拡大図で示した部分以外の構成については第１実施形態と同等のものであるため、説明は省略する。
【００４５】
本実施形態に係る支持部４３は、他の部材と異なり、弾性変形可能な素材、例えばポリウレタンで形成されている。この支持部４３の形状は、第１実施形態と同等の形状である内側支持部４３ａ、頂点４３ｂ、外側支持部４３ｃ、及び、下方支持部４３ｄにより構成されている。また、内側支持部４３ａ及び外側支持部４３ｃの表面には、滑り止め部４５が設けられている。この下方支持部４３ｄには、ひとつの側面が鋭利に形成された薄板状の歯部４４の表面が接着などにより取り付けられている。このとき歯部４４の鋭利な先端は、外側支持部４３ｃと下方支持部４３ｄとの接続点よりも内側に位置している。
【００４６】
一方、歯部４４の裏面には、支持部４３と同様にポリウレタンで形成された板状のガード部４６が張り付けられている。このガード部４６の上側の端部は、支持部４３の下方支持部４３ｄの上側の端部と等しい位置に設けられており、下側の端部は、壁部１２に当接している。すなわち、歯部４４は、下方支持部４３ｄとガード部４６とに挟まれ、且つ、先端がそれらよりも内側に位置することになる。
【００４７】
以上のように構成される保持部材において、トイレットペーパー３０の先端３１を引き出したうえで下方へと引き下げた場合、トイレットペーパー３０から支持部４３及びガード部４６へ、下方へ引き下げる力が働く。これにより、図１０に示すように、支持部４３及びガード部４６が弾性変形し、歯部４４が露出する。そして、歯部４４によりトイレットペーパー３０が剪断される。トイレットペーパー３０が剪断されれば、支持部４３及びガード部４６を弾性変形させる力が加わらなくなるため、支持部４３及びガード部４６はもとの形状へと戻り、歯部４４は再び支持部４３とガード部４６とにより隠蔽されることとなる。
【００４８】
上記構成により、本実施形態に係る保持部材は、以下の効果を奏する。
【００４９】
・支持部４３が弾性変形可能であるため、トイレットペーパー３０の先端３１側を挟持した場合に、当接部２５の重さにより支持部４３が弾性変形し、トイレットペーパー３０に対する挟持力が大きくなる。したがって、挟持したトイレットペーパーが芯保持部１９側へ引き込まれたり、滑り落ちて落下したりする事態をより抑制することができる。
【００５０】
・歯部４４がトイレットペーパー３０を切り取る場合に露出する構造であるため、安全性を向上させることができる。
【００５１】
＜第３実施形態＞
本実施形態では、図１１に示すように、支持部５３近傍の構造が第１実施形態及び第２実施形態と異なっている。なお、図１１の拡大図で示した部分以外の構成については第１実施形態と同等のものであるため、説明は省略する。
【００５２】
本実施形態に係る支持部５３は、厚みが略均一な、湾曲した曲面状の板であり、壁部１２等と同等の硬質の樹脂で形成されている。この支持部５３は、第１実施形態及び第２実施形態の支持部１３，４３と同様に、背面側斜め上方へ向けて突出した曲面を構成しており、その曲面の表面の形状は、第１実施形態及び第２実施形態の支持部１３，４３と同等の形状である。すなわち、内側支持部５３ａ、頂点５３ｂ，及び、外側支持部５３ｃを有している。この支持部５３の内側支持部５３ａの最も下方の端部は、ヒンジ５６を介して壁部１２と連結されており、そのヒンジ５６を中心に回動可能である。
【００５３】
支持部５３の裏面側には、弾性変化形可能な素材で形成されたクッション部５７が充填されており、そのクッション部５７を介して、第２実施形態と同等の形状である歯部５４と接続されている。また、支持部５３の表面には、各実施形態と同等の形状である滑り止め部５５が設けられている。
【００５４】
以上のように構成される保持部材において、トイレットペーパー３０の先端３１を引き出したうえで下方へと引き下げた場合、トイレットペーパー３０から支持部５３へ、下方へ引き下げる力が働く。これにより、図１２に示すように、クッション材５７が弾性変形し、且つ、支持部５３がヒンジ５６回りに回動する。歯部５４が露出する。そして、歯部５４によりトイレットペーパー３０が剪断される。トイレットペーパー３０が剪断されれば、クッション材５７を弾性変形させる力が加わらなくなるため、クッション材５７はもとの形状へと戻り、歯部５４は再び支持部５３により隠蔽されることとなる。
【００５５】
上記構成により、本実施形態に係る保持部材は、第２実施形態に係る保持部材と同等の効果を奏する。
【００５６】
＜第４実施形態＞
本実施形態では、図１３及び図１４に示すように、蓋部１２２の形状が第１実施形態と異なっている。なお、蓋部１２２の形状以外は第１実施形態と同等のものであるため、説明は省略する。
【００５７】
本実施形態に係る蓋部１２２は、壁部１２及び上壁部１６と同一方向へ湾曲した板状であり、曲率は上壁部１６の先端近傍の外側と略等しく、厚みは上壁部１６の先端よりも厚く、且つ、周方向の一方の端部から他方の端部へ向かうにつれ、厚みが徐々に増加する。この蓋部１２２において、周方向の一方の端部には、蓋部２２の外周面及び内周面と連続する曲面をなす、半円弧状の回動部１２３が形成されている。この回動部１２３の直径は、蓋部１２２の厚み、及び、窪部１７を構成する円弧と直径と、略等しい。この回動部１２３の左右方向の端部のそれぞれにおける円弧の中心には、断面円形の取付穴１２４が設けられている。この取付穴１２４の径は、左側取付ピン２１の外径と略等しい。
【００５８】
蓋部１２２の他方の端部は、その端部から周方向へ向けて幅方向では均一に、且つ、周方向へ向けて円弧状に窪んだ凹状の曲面である当接部１２５が設けられている。この当接部１２５を構成する円弧の直径は、支持部１３の曲率半径よりも大きくなるように定められている。すなわち、図１４に示すように、蓋部１２２を左側取付ピン２１に取り付け、トイレットペーパー３０の先端を当接部１２５と支持部１３とで挟持する場合には、当接部１２５と支持部１３との接触箇所でトイレットペーパー３０の先端を挟持することとなり、その接触箇所よりも先端側は、当接部１２５の凹曲面に沿って上方に起立することとなる。
【００５９】
上記構成により、本実施形態に係る保持部材は、以下の効果を奏する。
【００６０】
・トイレットペーパーの先端を凹曲面である当接部１２５に沿って起立させることができ、第１実施形態と同等の効果を得ることができる。
【００６１】
＜変形例＞
・実施形態では、支持部１３，４３，５３、及び、当接部２５を、芯保持部１９よりも上方に位置するようにしているが、芯保持部１９と同程度の高さとしたり、芯保持部１９よりも下方に設けたりして、正面側からトイレットペーパー３０を引き出すようにしてもよい。
【００６２】
・支持部１３，４３，４３の曲率は、実施形態で示したものに限らず、種々の変更が可能である。例えば、内側支持部１３ａ，４３ａ，５３ａの曲率と外側支持部１３ｃ，４３ｃ，５３ｃの曲率とを等しくしたり、内側支持部１３ａ，４３ａ，５３ａの曲率を外側支持部１３ｃ，４３ｃ，５３ｃの曲率よりも大きくしたりしてもよい。
【００６３】
・蓋部２２について、当接部２５のトイレットペーパーに当接する部分の近傍が曲面であればよく、他の部分の形状については、デザイン等を勘案して種々の変更をすることができる。
【００６４】
・実施形態では、保持部材の左側全体を閉塞する閉塞部１８を設けるものとしているが、閉塞部１８の形状は実施形態で示したものに限らず、一部のみを閉塞するような形状であってもよい。
【００６５】
・各実施形態において、当接部２５を弾性変形可能な素材で形成しても良い。この場合には、トイレットペーパー３０の先端に当接部２５が当接した場合に、当接部２５が自重で撓み、挟持力が向上する。したがって、支持部４３を弾性変形可能な素材で形成した第２実施形態に準ずる効果を奏することができる。
【００６６】
・実施形態では、滑り止め部１５，４５，５５について薄膜状の部材を別途用いるものとしたが、支持部１３，４３，５３の表面に粗面処理を施し、トイレットペーパーとの動摩擦係数及び静止摩擦係数を大きくするものとしてもよい。
【００６７】
・第２実施形態において、ガード部４６を設けるものとしたが、ガード部４６は設けなくても、第２実施形態に準ずる効果を得ることができる。また、第３実施形態においてガード部４６に準ずる部材を追加してもよい。
【００６８】
・第４実施形態における支持部１３の形状を、第２実施形態の支持部４３に準ずる形状とし、刃部４４や滑り止め部４５を追加するものとしてもよい。同様に、第４実施形態における支持部１３の形状を、第３実施形態の支持部５３に準ずる形状とし、刃部５４や滑り止め部５５を追加するものとしてもよい。
【００６９】
・各部材の素材はあくまで一例であって、種々の変更が可能である。
【００７０】
・実施形態では、帯状物である紙を巻き回したトイレットペーパーを保持するものとしたが、保持対象はこれに限られない。帯状物である紙を巻き回した他のロール紙を保持するものとしてもよいし、帯状物であるアルミニウム箔が巻き回されたロール体や、帯状物であるラップフィルムが巻き回されたロール体等を保持するものとしてもよい。
【符号の説明】
【００７１】
１３…支持部、１３ａ…内側支持部、１３ｃ…外側支持部、１４…刃部、１５…滑り止め部、１９…芯保持部、２２…蓋部、２５…当接部、３０…トイレットペーパー、３１…先端、４３…支持部、４３ａ…内側支持部、４３ｃ…外側支持部、４４…刃部、４５…滑り止め部、５３…支持部、５３ａ…内側支持部、５３ｃ…外側支持部、５４…刃部、５５…滑り止め部、１２２…蓋部、１２５…当接部
【図１】
2020185087.tif 000003
【図２】
2020185087.tif 000004
【図３】
2020185087.tif 000005
【図４】
2020185087.tif 000006
【図５】
2020185087.tif 000007
【図６】
2020185087.tif 000008
【図７】
2020185087.tif 000009
【図８】
2020185087.tif 000010
【図９】
2020185087.tif 000011
【図１０】
2020185087.tif 000012
【図１１】
2020185087.tif 000013
【図１２】
2020185087.tif 000014
【図１３】
2020185087.tif 000015
【図１４】
2020185087.tif 000016
【手続補正書】
【提出日】令和2年6月22日(2020.6.22)
【手続補正１】
【補正対象書類名】特許請求の範囲
【補正対象項目名】請求項１
【補正方法】変更
【補正の内容】
【請求項１】
帯状物を巻き回したロール体を保持する保持部材であって、
前記ロール体を回転可能に保持する保持部と、
前記ロール体側の斜め上方へ向けて凸の曲面を有し、その曲面で前記帯状物の先端側の表面を支持する支持部と、
曲面を有し、その曲面で前記帯状物の先端側の裏面に当接する当接部と、を備える、保持部材。